(57)【要約】      （修正有）【課題】組み立て用のネジや調整ネジなどを使用しなくても横材を固定することができ、ガタつきや横揺れを防止することができる組み立て式棚の連結構造を提供する。【解決手段】側面に掛止穴が形成された支柱５０と、前記支柱５０に対して着脱可能な取付具１０と、を備え、前記取付具１０は、前記掛止穴に挿入して引っ掛けられる掛止部材１３と、前記掛止穴に前記掛止部材１３を引っ掛けたときに前記掛止部材１３を引き付けるように作用するバネ１２と、を備えるようにした。【選択図】図７
2020116043.tif 000002
【特許請求の範囲】
【請求項１】
側面に掛止穴が形成された支柱と、
前記支柱に対して着脱可能な取付具と、
を備え、
前記取付具は、前記掛止穴に挿入して引っ掛けられる掛止部材と、前記掛止穴に前記掛止部材を引っ掛けたときに前記掛止部材を引き付けるように作用するバネと、を備えることを特徴とする、組み立て式棚の連結構造。
【請求項２】
前記バネは、前記掛止穴に前記掛止部材を引っ掛けたときに、前記掛止穴の両側において前記支柱に接触する板バネであることを特徴とする、請求項１記載の組み立て式棚の連結構造。
【請求項３】
前記取付具は、前記掛止部材および前記バネが取り付けられるベース部材を備え、
前記バネは、前記掛止部材と前記ベース部材とに挟み込まれることで前記ベース部材に固定されていることを特徴とする、請求項１または２記載の組み立て式棚の連結構造。
【請求項４】
前記取付具は、前記掛止穴に引っ掛けるために上下に配設された少なくとも２つのフックを備え、
前記バネは、前記２つのフックの間において前記掛止部材に取り付けられていることを特徴とする、請求項１記載の組み立て式棚の連結構造。
【請求項５】
前記取付具は、前記バネの付勢方向と平行に前記掛止部材を摺動可能に支持するベース部材を備え、
前記バネは、前記掛止部材のフックを前記ベース部材の方向に引き付けるように付勢していることを特徴とする、請求項１記載の組み立て式棚の連結構造。
【発明の詳細な説明】
【技術分野】
【０００１】
この発明は、組み立て式棚の連結構造に関する。
【背景技術】
【０００２】
この種の組み立て式棚は、管理や搬送が容易であるため広く一般的に普及している。こうした組み立て式棚は、ユーザが部品を組み立てて設置するものも多く存在するため、組み立てが容易であることが求められている。
【０００３】
例えば、特許文献１には、ネジ等を使用しなくても組み立てられる棚構造が開示されている。この構造では、支柱の両側の面にフック穴を設け、このフック穴に取り付け金具のフックを引っ掛けて固定するようにしている。そして、この取り付け金具に棚板を固定することで棚を構成している。
【先行技術文献】
【特許文献】
【０００４】
【特許文献１】特開２００７−１２５１６２号公報
【発明の概要】
【発明が解決しようとする課題】
【０００５】
しかし、こうした支柱に対してフックを引っ掛ける構造においては、フックの内側の寸法と支柱の厚みとを完全に一致させることは困難であるため、やや遊びを持たせた寸法で部品が製作される。このため、支柱に対してフックを引っ掛けたときに、ガタつきや横揺れが生じるという問題があった。
【０００６】
なお、特許文献１記載の構成では、こうしたガタつきを防止するために、取り付け金具と棚板との位置を調整する調整ネジを設けている。しかしながら、調整ネジを操作してガタつきを防止する構成では、組み立て作業の簡便性が失われてしまい、ネジを使用しなくても組み立てられる棚としての利点が相殺されてしまうという問題があった。
【０００７】
そこで、本発明は、組み立て用のネジや調整ネジなどを使用しなくても横材を固定することができ、ガタつきや横揺れを防止することができる組み立て式棚の連結構造を提供することを課題とする。
【課題を解決するための手段】
【０００８】
本発明は、上記した課題を解決するためになされたものであり、側面に掛止穴が形成された支柱と、前記支柱に対して着脱可能な取付具と、を備え、前記取付具は、前記掛止穴に挿入して引っ掛けられる掛止部材と、前記掛止穴に前記掛止部材を引っ掛けたときに前記掛止部材を引き付けるように作用するバネと、を備えることを特徴とする。
【発明の効果】
【０００９】
本発明は上記の通りであり、支柱に対して着脱可能な取付具は、掛止穴に挿入して引っ掛けられる掛止部材と、掛止穴に掛止部材を引っ掛けたときに掛止部材を引き付けるように作用するバネと、を備える。このような構成によれば、掛止穴に掛止部材を引っ掛けるだけでバネが作用するので、組み立て用のネジや調整ネジなどを使用しなくても強固に横材を固定することができ、ガタつきや横揺れを防止することができる。また、組み立て式棚を解体するときも、掛止穴から掛止部材を取り外すだけでよいので、作業が容易であり、ネジなどの部品を紛失することもない。
【００１０】
なお、バネは、掛止穴に掛止部材を引っ掛けたときに、掛止穴の両側において支柱に接触する板バネであってもよい。このような構成によれば、支柱の両側で接触する板バネによって取付具の傾きを抑制することができるので、ガタつきや横揺れを有効に防止することができる。
【００１１】
また、取付具は、掛止部材およびバネが取り付けられるベース部材を備え、バネは、掛止部材とベース部材とに挟み込まれることでベース部材に固定されるようにしてもよい。このような構成によれば、バネを固定するための新たな部品や加工が必要ないので、製造コストを抑制することができる。
【００１２】
また、取付具は、掛止穴に引っ掛けるために上下に配設された少なくとも２つのフックを備え、バネは、２つのフックの間において掛止部材に取り付けられていてもよい。このような構成によれば、２つ以上のフックで棚板などを安定して支持することができる。また、２つのフックの間に設けられたバネによって２つのフックのガタつきが抑制されるので、複数のバネを使用しなくてもガタつきや横揺れを防止することができる。
【００１３】
また、取付具は、バネの付勢方向と平行に掛止部材を摺動可能に支持するベース部材を備え、バネは、掛止部材のフックをベース部材の方向に引き付けるように付勢していてもよい。このような構成によれば、フックとベース部材とで支柱の周壁を挟み込んで保持できるので、ガタつきや横揺れを有効に防止することができる。
【図面の簡単な説明】
【００１４】
【図１】（ａ）取付具の正面図、（ｂ）パイプを固定した取付具の平面図、（ｃ）パイプを固定した取付具の底面図である。
【図２】ベース部材の（ａ）正面図、（ｂ）側面図である。
【図３】バネの（ａ）正面図、（ｂ）側面図、（ｃ）平面図である。
【図４】掛止部材の（ａ）側面図、（ｂ）背面図である。
【図５】（ａ）取付具を組み付ける前の図、（ｂ）取付具を組み付けた後の図である。
【図６】（ａ）支柱に取付具を取り付ける前の図、（ｂ）支柱に取付具を取り付けている途中の図、（ｃ）支柱に取付具を取り付けた後の図である。
【図７】支柱に取付具を取り付けた後の平面図である。
【図８】変形例１に係る図であって、（ａ）支柱に取付具を取り付ける前の図、（ｂ）支柱に取付具を取り付けた後の図、（ｃ）支柱に取付具を取り付けた後の平面図である。
【図９】変形例１に係る図であって、（ａ）取付具を組み付ける前の図、（ｂ）取付具を組み付けた後の図である。
【図１０】変形例２に係る図であって、（ａ）取付具を組み付ける前の図、（ｂ）取付具を組み付けた後の図である。
【図１１】変形例２に係る図であって、（ａ）パイプを固定した取付具の平面図、（ｂ）支柱に取付具を取り付けた状態の平面図である。
【発明を実施するための形態】
【００１５】
本発明の実施形態について、図を参照しながら説明する。
本実施形態に係る組み立て式棚の連結構造は、パイプ状の支柱５０の間に横材を架け渡して固定するためのものである。例えば、特に図示しないが、４本の支柱５０を床面に垂直に立て、隣り合う支柱５０の間に横パイプ４０などの長尺材を架け渡すことで、組み立て式棚が構成される。横材として横パイプ４０を使用する場合、横パイプ４０をハンガーを吊るすために使用してもよいし、棚板を取り付けるために使用してもよいし、単なる補強のために使用してもよい。なお、本実施形態においては、横材として横パイプ４０を使用しているが、横材の種類や形状は特に限定されない。横パイプ４０の代わりに別の形状の横材（角材やアングル材、棚板そのもの）を使用してもよい。
横パイプ４０の両端部には、図１に示すような取付具１０が取り付けられている。この取付具１０は、横パイプ４０を支柱５０に取り付けるためのものである。
【００１６】
本実施形態に係る支柱５０の側面には、図６に示すように、長手方向に所定間隔で複数の掛止穴５１が形成されている。掛止穴５１は、上下に縦長の方形の長穴であり、後述する取付具１０のフック１３ａを掛止するために支柱５０の周壁を貫通して形成されている。本実施形態においては、支柱５０の周方向に９０度ずらして複数の掛止穴５１（少なくとも２つ、最大４つの掛止穴５１）が形成されている。このため、１本の支柱５０に対して、同じ高さに９０度ずらして複数の取付具１０（少なくとも２つ、最大４つの取付具１０）を取り付け可能となっている。
本実施形態に係る取付具１０は、ベース部材１１と、バネ１２と、掛止部材１３と、からなる。
【００１７】
ベース部材１１は、横パイプ４０の端部を覆うように取り付けられる有底円筒形状の部材である。このベース部材１１は、図２に示すように、円筒状の筒部１１ａと、筒部１１ａの底面を形成する取付面１１ｂと、を備えた金属製の部品である。筒部１１ａの内径は、横パイプ４０の先端部を挿入できる径で形成されている。ベース部材１１を横パイプ４０に取り付けるときには、横パイプ４０の先端部を筒部１１ａの開口から挿入し、両者を圧着させるなどしてベース部材１１と横パイプ４０とを結合させる。なお、取付面１１ｂには、掛止部材１３を取り付けるための取付穴１１ｃが貫通形成されている。
【００１８】
バネ１２は、図３に示すような板バネである。このバネ１２は、扁平な金属板を曲折して形成されており、中央部１２ａと、中央部１２ａの両側に設けられた押さえ部１２ｃと、を備える。中央部１２ａには、バネ１２の取り付けに使用する貫通穴１２ｂが形成されている。両側の押さえ部１２ｃは、左右対称に形成されており、中央部１２ａの両側から斜め方向に突出している。
【００１９】
掛止部材１３は、支柱５０の掛止穴５１に挿入して引っ掛けられる金属製の板状部材である。この掛止部材１３は、図４に示すように、掛止穴５１に挿入されるフック１３ａと、ベース部材１１の取付穴１１ｃに挿入される挿入部１３ｂと、を備える。挿入部１３ｂは、フック１３ａの上端部付近から、フック１３ａに対してほぼ直角に突出するように設けられている。また、挿入部１３ｂの根元付近には、挿入部１３ｂの上下に張り出すように段差を形成することで、係合部１３ｃが設けられている。この係合部１３ｃは、挿入部１３ｂをベース部材１１の取付穴１１ｃに挿入したときに、取付穴１１ｃを通らずに突き当てられる部位である。このように係合部１３ｃが突き当たることで、図５（ｂ）に示すように、フック１３ａの内側面と取付面１１ｂとの間に所定の間隙Ｇが生じるように形成されている。
【００２０】
上記したバネ１２および掛止部材１３は、図５のようにベース部材１１に取り付けられる。すなわち、掛止部材１３の挿入部１３ｂを、バネ１２の貫通穴１２ｂに貫通させ、更にベース部材１１の取付穴１１ｃに貫通させる。このとき、バネ１２の押さえ部１２ｃは、横パイプ４０の先端方向に突出するように取り付けられる。このとき、掛止部材１３の係合部１３ｃは、バネ１２の貫通穴１２ｂおよびベース部材１１の取付穴１１ｃよりも幅広であり、これらの穴を貫通しない。このため、挿入部１３ｂを奥まで挿入すると、係合部１３ｃがバネ１２の中央部１２ａを挟み込んでベース部材１１の取付面１１ｂに突き当てられる。言い換えると、バネ１２の中央部１２ａは、掛止部材１３の係合部１３ｃとベース部材１１の取付面１１ｂとに挟み込まれて保持される。この状態で、バネ１２とベース部材１１とを貫通した挿入部１３ｂの先端をかしめて、３つの部材を結合する。これにより図５（ｂ）に示すような取付具１０が形成される。
【００２１】
この取付具１０は、図６に示すように横パイプ４０に着脱可能である。この取付具１０は、図６（ａ）に示すように、フック１３ａの内側面とバネ１２の中央部１２ａとの間に間隙Ｇが生じるように形成されている。この間隙Ｇの幅は支柱５０の周壁の厚みよりも大きく形成されており、この間隙Ｇに支柱５０の周壁を挿入できるようになっている。また、この間隙Ｇの両側には、バネ１２の押さえ部１２ｃが先端方向に突出している。このため、間隙Ｇに支柱５０の周壁を挿入したときに、両側の押さえ部１２ｃが支柱５０の表面に接触して押圧するようになっている。
【００２２】
この取付具１０を支柱５０に取り付けるときには、図６に示すように、掛止部材１３のフック１３ａを支柱５０の掛止穴５１に引っ掛けるだけでよい。このように引っ掛けると、図７に示すように、バネ１２の押さえ部１２ｃが掛止穴５１の両側において支柱５０の表面に接触し、支柱５０の表面を押圧する。このようにバネ１２が支柱５０の表面を押圧すると、この押圧の反作用により、取付具１０（フック１３ａ）が横パイプ４０の反先端方向（図６における右方向）に引き付けられる。このようにフック１３ａが引き付けられることで、フック１３ａとバネ１２とによって支柱５０の周壁が弾性的に挟み込まれるので、取付具１０を支柱５０に強固に固定することができる。
【００２３】
このように本実施形態によれば、支柱５０に対して着脱可能な取付具１０は、掛止穴５１に挿入されて引っ掛けられる掛止部材１３と、掛止穴５１に掛止部材１３を引っ掛けたときに掛止部材１３を引き付けるように作用するバネ１２と、を備える。よって、掛止穴５１に掛止部材１３を引っ掛けるだけでバネ１２が作用するので、組み立て用のネジや調整ネジなどを使用しなくても強固に横パイプ４０を固定することができ、ガタつきや横揺れを防止することができる。また、組み立て式棚を解体するときも、掛止穴５１から掛止部材１３を取り外すだけでよいので、作業が容易であり、ネジなどの部品を紛失することもない。
【００２４】
また、バネ１２は、掛止穴５１に掛止部材１３を引っ掛けたときに、掛止穴５１の両側において支柱５０に接触する板バネである。よって、支柱５０の両側で接触する板バネによって取付具１０の傾きを抑制することができるので、ガタつきや横揺れを有効に防止することができる。
【００２５】
また、取付具１０は、掛止部材１３およびバネ１２が取り付けられるベース部材１１を備え、バネ１２は、掛止部材１３とベース部材１１とに挟み込まれることでベース部材１１に固定されている。このような構成によれば、バネ１２を固定するための新たな部品や加工が必要ないので、製造コストを抑制することができる。
【００２６】
（変形例１）
上記したような取付具１０に代えて、または、上記したような取付具１０に加えて、図８および図９に示すような取付具２０を使用してもよい。
この取付具２０は、図８に示すように、バネ２１と、掛止部材２２と、を備える。
【００２７】
バネ２１は、図３で説明したバネ１２と同様の板バネである。すなわち、このバネ２１は、扁平な金属板を曲折して形成されており、中央部２１ａと、中央部２１ａの両側に設けられた押さえ部２１ｃと、を備える。中央部２１ａには、バネ２１の取り付けに使用する貫通穴２１ｂが形成されている。両側の押さえ部２１ｃは、左右対称に形成されており、中央部２１ａの両端から斜め方向に突出している。
【００２８】
掛止部材２２は、支柱５０の掛止穴５１に挿入されて引っ掛けられる金属製の板状部材である。この掛止部材２２は、掛止穴５１に挿入される上部フック２２ａおよび下部フック２２ｂと、バネ２１を取り付けるためのバネ取付部２２ｃと、を備える。上部フック２２ａおよび下部フック２２ｂは、上下に所定間隔をあけて並設されている。上部フック２２ａおよび下部フック２２ｂの配設間隔は、支柱５０の掛止穴５１の配設間隔と等しく設定されている。このため、上部フック２２ａおよび下部フック２２ｂは、支柱５０の長手方向に並設された２つの掛止穴５１にそれぞれ同時に引っ掛けられるように形成されている（図８（ｂ）参照）。
【００２９】
バネ取付部２２ｃは、上部フック２２ａと下部フック２２ｂとの間に設けられた突起である。掛止部材２２にバネ２１を取り付けるときには、図９に示すように、バネ取付部２２ｃをバネ２１の貫通穴２１ｂに貫通させ、バネ取付部２２ｃの先端をかしめることでバネ２１を固定する。
【００３０】
なお、本実施形態に係る掛止部材２２には、棚板支持部２３が取り付けられている。棚板支持部２３は、掛止部材２２の上面に固定された金属片である。この棚板支持部２３は、上面が水平になるように固定されており、上面で棚板を支持できるように構成されている。本実施形態においては、掛止部材２２に複数の棚板支持部２３を取り付けている。
【００３１】
この取付具２０を支柱５０に取り付けるときには、図８に示すように、掛止部材２２の上部フック２２ａおよび下部フック２２ｂを支柱５０の掛止穴５１に引っ掛けるだけでよい。フックを引っ掛けると、図８に示すように、バネ２１の押さえ部２１ｃが上部フック２２ａと下部フック２２ｂとの間で支柱５０の表面に接触し、支柱５０の表面を押圧する。このようにバネ２１が支柱５０の表面を押圧すると、この押圧の反作用により、掛止部材２２が図８における右方向に引き付けられる。よって、上部フック２２ａおよび下部フック２２ｂが引き付けられることで、上部フック２２ａおよび下部フック２２ｂとバネ２１とによって支柱５０の周壁が弾性的に挟み込まれるので、取付具２０を支柱５０に強固に固定することができる。
【００３２】
このように本変形例によれば、支柱５０に対して着脱可能な取付具２０は、掛止穴５１に挿入されて引っ掛けられる掛止部材２２と、掛止穴５１に掛止部材２２を引っ掛けたときに掛止部材２２を引き付けるように作用するバネ２１と、を備える。よって、掛止穴５１に掛止部材２２を引っ掛けるだけでバネ２１が作用するので、組み立て用のネジや調整ネジなどを使用しなくても強固に取付具２０を固定することができ、ガタつきや横揺れを防止することができる。また、組み立て式棚を解体するときも、掛止穴５１から掛止部材２２を取り外すだけでよいので、作業が容易であり、ネジなどの部品を紛失することもない。
【００３３】
また、取付具２０は、掛止穴５１に引っ掛けるために上下に配設された少なくとも２つのフック（上部フック２２ａおよび下部フック２２ｂ）を備え、バネ１２は、２つのフックの間において掛止部材２２に取り付けられている。このような構成によれば、２つのフックで棚板などを安定して支持することができる。また、２つのフックの間に設けられたバネ２１によって２つのフックのガタつきが抑制されるので、複数のバネ２１を使用しなくてもガタつきや横揺れを防止することができる。なお、本実施形態に係る取付具２０は２つのフックを備えているが、３つ以上のフックを備えていてもよいことは言うまでもない。
【００３４】
（変形例２）
上記したような取付具１０や取付具２０に代えて、または、上記したような取付具１０や取付具２０に加えて、図１０および図１１に示すような取付具３０を使用してもよい。
この取付具３０は、ベース部材３１と、バネ３２と、掛止部材３３と、からなる。
【００３５】
ベース部材３１は、横パイプ４０の端部を覆うように取り付けられる有底円筒形状の部材である。このベース部材３１は、図１０に示すように、円筒状の筒部３１ａと、筒部３１ａの底面を形成する取付面３１ｂと、を備えた金属製の部品である。筒部３１ａの内径は、横パイプ４０の先端部を挿入できる径で形成されている。ベース部材３１を横パイプ４０に取り付けるときには、横パイプ４０の先端部を筒部３１ａの開口から挿入し、両者を圧着させるなどしてベース部材３１と横パイプ４０とを結合させる。なお、取付面３１ｂには、掛止部材３３を取り付けるための取付穴３１ｃが貫通形成されている。また、取付面３１ｂには、図１１に示すように、円弧状に陥没した凹陥部３１ｄが形成されている。この凹陥部３１ｄは、取付具３０を支柱５０に取り付けたときに支柱５０の外周面に密着するように、支柱５０の外径と等しい径の円弧状に形成されている。
【００３６】
バネ３２は、図３で説明したバネ１２と同様の板バネである。すなわち、このバネ３２は、扁平な金属板を曲折して形成されており、中央部３２ａと、中央部３２ａの両側に設けられた押さえ部３２ｃと、を備える。中央部３２ａには、バネ３２の取り付けに使用する貫通穴３２ｂが形成されている。両側の押さえ部３２ｃは、左右対称に形成されており、中央部３２ａの両端から斜め方向に突出している。
【００３７】
掛止部材３３は、支柱５０の掛止穴５１に挿入して引っ掛けられる金属製の板状部材である。この掛止部材３３は、掛止穴５１に挿入されるフック３３ａと、ベース部材３１の取付穴３１ｃに挿入される挿入部３３ｂと、を備える。挿入部３３ｂは、フック３３ａの上端部付近から、フック３３ａに対してほぼ直角に突出するように設けられている。また、挿入部３３ｂの根元付近には、挿入部３３ｂの上下に張り出すように段差を形成することで、係合部３３ｃが形成されている。この係合部３３ｃは、挿入部３３ｂをベース部材３１の取付穴３１ｃに挿入したときに、ベース部材３１の取付面３１ｂに突き当てられる部位であり、このように係合部３３ｃが突き当たることで、フック３３ａの内側面と取付面３１ｂとの間に所定の間隙Ｇが生じるように形成されている。
【００３８】
上記したバネ３２および掛止部材３３は、図１０のようにベース部材３１に取り付けられる。すなわち、掛止部材３３の挿入部３３ｂを、ベース部材３１の取付穴３１ｃに貫通させ、更にバネ３２の貫通穴３２ｂに貫通させる。このとき、バネ３２の押さえ部３２ｃは、先端方向（ベース部材３１の裏面に当接する方向）に突出するように取り付けられる。また、掛止部材３３の係合部３３ｃは、挿入部３３ｂよりも幅広であるため、ベース部材３１の取付穴３１ｃを貫通しない。このため、挿入部３３ｂを奥まで挿入すると、係合部３３ｃがベース部材３１の取付面３１ｂに突き当てられる。この状態で、ベース部材３１とバネ３２とを貫通した挿入部３３ｂの先端をかしめて、３つの部材を結合する。挿入部３３ｂの先端をかしめるときには、バネ３２を完全につぶしてしまうのではなく、バネ３２が弾性変形できる遊びを設けるようにする。これにより、掛止部材３３は、バネ３２の付勢方向と平行に摺動可能に、ベース部材３１に取り付けられる。以上で、図１０（ｂ）に示すような取付具３０が形成される。
【００３９】
この取付具３０は、図１１に示すように横パイプ４０に取り付けて使用される。この取付具３０は、図１０（ｂ）に示すように、フック３３ａの内側面とバネ３２の中央部３２ａとの間に間隙Ｇが生じるように形成されている。この間隙Ｇに支柱５０の周壁を挿入できるようになっている。なお、この間隙Ｇの幅は、自然状態において支柱５０の周壁の厚みよりも小さく形成されているが、バネ３２の付勢力に抗して掛止部材３３をベース部材３１に対して摺動させれば、間隙Ｇの幅を広げることが可能である。間隙Ｇの幅は、支柱５０の周壁の厚みよりも大きく広げることが可能であるため、間隙Ｇに支柱５０の周壁を挿入することが可能となっている。
【００４０】
この取付具３０を支柱５０に取り付けるときには、掛止部材３３のフック３３ａを支柱５０の掛止穴５１に引っ掛けるだけでよい。このように引っ掛けると、図１１（ｂ）に示すように、バネ３２によって掛止部材３３のフック３３ａが引き付けられることで、フック３３ａとベース部材３１の凹陥部３１ｄとによって支柱５０の周壁が弾性的に挟み込まれるので、取付具３０を支柱５０に強固に固定することができる。
【００４１】
このように本変形例によれば、支柱５０に対して着脱可能な取付具３０は、掛止穴５１に挿入されて引っ掛けられる掛止部材３３と、掛止穴５１に掛止部材３３を引っ掛けたときに掛止部材３３を引き付けるように作用するバネ３２と、を備える。よって、掛止穴５１に掛止部材３３を引っ掛けるだけでバネ３２が作用するので、組み立て用のネジや調整ネジなどを使用しなくても強固に横パイプ４０を固定することができ、ガタつきや横揺れを防止することができる。また、組み立て式棚を解体するときも、掛止穴５１から掛止部材３３を取り外すだけでよいので、作業が容易であり、ネジなどの部品を紛失することもない。
【００４２】
また、取付具３０は、バネ３２の付勢方向と平行に掛止部材３３を摺動可能に支持するベース部材３１を備え、バネ３２は、掛止部材３３のフック３３ａをベース部材３１の方向に引き付けるように付勢している。このような構成によれば、フック３３ａとベース部材３１とで支柱５０の周壁を挟み込んで保持できるので、ガタつきや横揺れを有効に防止することができる。
【符号の説明】
【００４３】
１０  取付具
１１  ベース部材
１１ａ  筒部
１１ｂ  取付面
１１ｃ  取付穴
１２  バネ
１２ａ  中央部
１２ｂ  貫通穴
１２ｃ  押さえ部
１３  掛止部材
１３ａ  フック
１３ｂ  挿入部
１３ｃ  係合部
２０  取付具
２１  バネ
２１ａ  中央部
２１ｂ  貫通穴
２１ｃ  押さえ部
２２  掛止部材
２２ａ  上部フック
２２ｂ  下部フック
２２ｃ  バネ取付部
２３  棚板支持部
３０  取付具
３１  ベース部材
３１ａ  筒部
３１ｂ  取付面
３１ｃ  取付穴
３１ｄ  凹陥部
３２  バネ
３２ａ  中央部
３２ｂ  貫通穴
３２ｃ  押さえ部
３３  掛止部材
３３ａ  フック
３３ｂ  挿入部
３３ｃ  係合部
４０  横パイプ
５０  支柱
５１  掛止穴
Ｇ  間隙
【図１】
2020116043.tif 000003
【図２】
2020116043.tif 000004
【図３】
2020116043.tif 000005
【図４】
2020116043.tif 000006
【図５】
2020116043.tif 000007
【図６】
2020116043.tif 000008
【図７】
2020116043.tif 000009
【図８】
2020116043.tif 000010
【図９】
2020116043.tif 000011
【図１０】
2020116043.tif 000012
【図１１】
2020116043.tif 000013